(57)【要約】【課題】  撮像時（特に連続撮像時）に、撮像装置制御回路基板からの発熱による光ディスク書き込み部への熱影響、撮像素子などの撮像装置制御回路を実装した回路基板上の素子が駆動にともない発する熱を、導熱路を介して、本体筐体外側の開口部に、効率よく、逃がし、光ディスク書き込み部、及び、撮像素子部近傍の温度上昇を防ぐことができるデータ記録装置の提供。【解決手段】  記録媒体の表面を走査する走査機構部を含む記録媒体駆動機構部を記録装置本体筐体内に配置したデータ記録装置において、前記記録装置本体筐体外面に貫通する開口部を設け、記録装置制御回路基板近傍、あるいは、記録媒体駆動機構部近傍から、上記筐体に設けられた開口に向かって、導熱路を設け、導熱路の一部には、伝熱効率の高い部材を配置したことを特徴とするデータ記録装置。【選択図】        図１
2006172651.tif 000002
【特許請求の範囲】
【請求項１】
データ書き込みを行う記録媒体を用いた記録装置において、データ記録／データ再生時に、記録媒体の表面を走査して書き込み／読み出しを行う走査機構部を含む記録媒体駆動機構部を記録装置本体筐体内に配置したデータ記録装置において、前記記録装置本体筐体外面に貫通する開口部を設け、記録装置制御回路基板近傍、あるいは、記録媒体駆動機構部近傍から、上記筐体に設けられた開口に向かって、導熱路を設け、導熱路の一部には、伝熱効率の高い部材を配置したことを特徴とするデータ記録装置。
【請求項２】
データ書き込みを行う記録媒体を用いた記録装置において、データ記録／データ再生時に、記録媒体の表面を走査して書き込み／読み出しを行う走査機構部などを含む記録媒体駆動機構部を記録装置本体筐体内に配置したデータ記録装置において、前記記録装置本体筐体外面に貫通する開口部を通気性の部材によってふさいだことを特徴とする請求項１記載のデータ記録装置。
【請求項３】
データ書き込みを行う記録媒体を用いた記録装置において、データ記録／データ再生時に、記録媒体の表面を走査して書き込み／読み出しを行う走査機構部などを含む記録媒体駆動機構部を記録装置本体筐体内に配置したデータ記録装置において、前記記録装置本体筐体外面に貫通する開口部を通気性、かつ、液体の非通水性の部材によってふさいだことを特徴とする請求項１記載のデータ記録装置。
【請求項４】
撮像レンズと、撮像レンズの結像面に配置され、結像された画像を電気的に変換する撮像素子と撮像素子からの電気信号を処理する映像信号処理回路基板を含む画像撮像装置において、撮像装置本体筐体外面に貫通する開口部を設け、映像信号処理回路基板から、上記筐体に設けられた開口に向かって、導熱路を設け、導熱路の一部には、伝熱効率の高い放熱部材を配置したことを特徴とする撮像装置。
【請求項５】
撮像レンズと、撮像レンズの結像面に配置され、結像された画像を電気的に変換する撮像素子と撮像素子からの電気信号を処理する映像信号処理回路基板を含む画像撮像装置において、撮像装置本体筐体体外面に貫通する開口部を通気性の部材によってふさいだことを特徴とする撮像装置。
【請求項６】
撮像レンズと、撮像レンズの結像面に配置され、結像された画像を電気的に変換する撮像素子と撮像素子からの電気信号を処理する映像信号処理回路基板を含む画像撮像装置において、撮像装置本体筐体体外面に貫通する開口部を通気性、かつ、液体の非通水性の部材によってふさいだことを特徴とする像撮像装置。
【請求項７】
請求項１乃至３何れかのデータ記録装置を備え、記録媒体として、ディスクを使用し、データ記録／データ表示として、画像撮像／画像再生表示を行うことを特徴とする撮像装置。
【請求項８】
請求項４乃至６いずれかの撮像装置において、データ記録／データ表示として、画像撮像／画像再生表示を行うことを特徴とする撮像装置。
【発明の詳細な説明】
【技術分野】
【０００１】
本発明は、レーザー光照射などにより、データ記録を可能とする、記録媒体にデータ記録を行うデータ記録装置及びそれを備えた撮像装置等において、内部発熱の影響によるデータ書込／検出エラーの防止や、撮像レンズから、入射した画像をデータに変換するＣＣＤ等の撮像素子における、内部発熱の影響による、個々の欠陥画素の増加防止に関するものである。
【背景技術】
【０００２】
従来、光ディスクや光磁気ディスクなどの撮像媒体に、動画、静止画を撮像するための撮像装置は、撮像媒体駆動機構、撮像素子、撮像レンズなどから構成され、それらを制御する制御回路により、電気的に制御されている。例えば、光ディスクに動画を撮像するための撮像装置（以後、カメラと称する）の光ディスク駆動メカ機構内部は、光ディスクの表面に付着したごみが、画像データの誤検知となるため、略防塵構造としており、熱がこもりやすく、更に、光ディスク駆動メカ機構近傍には、駆動時、発熱をともなう撮像装置制御回路基板が配置されているため、高温となりやすい。
【０００３】
この時、レーザー光などを照射して、ディスク書き込み部を高温に加熱して、データ書き込みを可能とする光ディスクでは、光ディスク書き込み部が高温となると、ディスク上にデータを書き込む際に、レーザー光による書き込み条件が、微妙に変化するなどの影響でデータ書込／検出エラーが起こりやすく正常に画像録画されない。
【０００４】
また、撮像レンズ部では、入射した画像は、撮像レンズの焦点面に設置された、ＣＣＤ等の撮像素子上に結像されるが、ＣＣＤは、多数の画素の集合体であり、各画素の電荷の蓄積によって、画像を電気信号に変換し、画像データとして、記録媒体に書き込まれるが、撮像素子近傍に、画像記録制御回路が実装されている基板が配置されているため、画像記録制御回路素子の駆動時にともなう発熱の影響による温度下で、多数の画素中で、一部が欠陥画素となり、暗部を撮像したときなど、欠陥画素が、白く光って見えて、（いわゆる白傷）、正常に画像全体が表示されないなどの不具合を生じさせる。そのため、放熱部材をカメラ筐体内部に広範囲に配置し、カメラ筐体に伝熱させて、カメラ筐体表面を使って放熱させたり、冷却ファンによって、強制的に内部空気を循環させて、熱を分散させて、温度の上昇を抑えるなどの対策を必要としていた。
【特許文献１】特開平１０−１５５１００号公報
【発明の開示】
【発明が解決しようとする課題】
【０００５】
しかしながら、従来の構成では、光ディスク書き込み部や、撮像素子部に設けられた放熱部材から、カメラの筐体に効率よく伝熱させるには、カメラ筐体内部に、放熱部材を広範囲の面積を確保し、かつ、広範囲でカメラ筐体と対面させなければ、効率的にカメラ筐体に、熱が伝わっていかない。又、光ディスク書き込み部は、カメラ筐体内部の奥まった場所に配置されているので、カメラ筐体内壁近傍まで到達する空間経路が、十分に確保できなかったり、放熱部材自身のカメラ筐体内壁近傍にたどり着くまでの、経路上での断面積が十分確保できないため、断面積あたりの熱容量も小さくなってしまい、カメラ筐体内壁へ、効率よく熱を伝えることができなかった。また、冷却ファンによって、強制的に内部空気の流れを作って、温度の上昇を抑えるためには、冷却ファンの組み込みによるカメラの大型化、コストのアップ、冷却ファンの回転騒音対策が必要だった。
【０００６】
本発明は、以上の点に着目して成されたもので、撮像時（特に連続撮像時）に、撮像装置制御回路基板からの発熱による光ディスク書き込み部への熱影響、撮像素子などの撮像装置制御回路を実装した回路基板上の素子が駆動にともない発する熱を、導熱路を介して、本体筐体外側の開口部に、効率よく、逃がし、光ディスク書き込み部、及び、撮像素子部近傍の温度上昇を防ぐことができるデータ記録装置及び撮像装置を提供することを目的とする。
【課題を解決するための手段】
【０００７】
本発明は、撮像装置制御回路の駆動時にともなって発生する熱による、光ディスク書き込み部での、データ書込／検出エラーや、画像記録制御回路の駆動時にともなって発生する熱による温度上昇によって引き起こされる撮像素子の画素欠陥の増加を防止することを目的とする。
【０００８】
上述の目的を達成するために、本発明では、カメラ筐体外側に、開口部を設け、駆動時に発熱をともなう撮像装置制御回路基板から、上記筐体に設けられた開口に向かって、導熱路を設ける。導熱路の一部には、伝熱効率の高い放熱部材を配置し、導熱路内の空気との、接触面を増やし、空気に対する放熱面積を確保する。また、カメラ筐体外側に設けられた開口は、通気性があり、水分を通さないシート部材で覆って、カメラ筐体外側から、導熱路内部を露出させない。
【０００９】
なお、さらに詳細に説明すれば、本発明は下記の構成によって前記課題を解決できた。
【００１０】
（１）データ書き込みを行う記録媒体を用いた記録装置において、データ記録／データ再生時に、記録媒体の表面を走査して書き込み／読み出しを行う走査機構部を含む記録媒体駆動機構部を記録装置本体筐体内に配置したデータ記録装置において、前記記録装置本体筐体外面に貫通する開口部を設け、記録装置制御回路基板近傍、あるいは、記録媒体駆動機構部近傍から、上記筐体に設けられた開口に向かって、導熱路を設け、導熱路の一部には、伝熱効率の高い部材を配置したことを特徴とするデータ記録装置。
【００１１】
（２）撮像レンズと、撮像レンズの結像面に配置され、結像された画像を電気的に変換する撮像素子と撮像素子からの電気信号を処理する映像信号処理回路基板を含む画像撮像装置において、撮像装置本体筐体外面に貫通する開口部を設け、映像信号処理回路基板から、上記筐体に設けられた開口に向かって、導熱路を設け、導熱路の一部には、伝熱効率の高い放熱部材を配置したことを特徴とする撮像装置。
【発明の効果】
【００１２】
本発明によれば、撮像時（特に連続撮像時）に、撮像装置制御回路基板からの発熱による光ディスク書き込み部への熱影響、撮像素子などの撮像装置制御回路を実装した回路基板上の素子が駆動にともない発する熱を、導熱路を介して、本体筐体外側の開口部に、効率よく、逃がし、光ディスク書き込み部、及び、撮像素子部近傍の温度上昇を防ぐことができる。
【００１３】
また、カメラ筐体外側に設けられた開口は、通気性があり、水分を通さないシート部材で覆って、カメラ筐体外側から、導熱路内部を露出させないため、水滴、埃等のカメラ筐体内部への侵入を防ぎ、カメラ筐体外側の開口を設けたことによる、撮像装置の作動不良を防ぐことができる。
【発明を実施するための最良の形態】
【００１４】
以下本発明を実施するための最良の形態を、実施例により詳しく説明する。
【実施例】
【００１５】
（第１の実施例）
図１から図５は本発明の第１の実施例を示す図で、図１、及び図２は、本発明の、カメラの光ディスク書き込み部近傍の導熱路を示す概略断面図。図３、及び、図４は、本発明のカメラの正面から見た全体をあらわす斜視図と、カメラの背面から見た全体の斜視図である。図５は、本発明の概略の構成を示すブロック図である。図中、１は、光ディスク駆動機構であり、機構内部には、光ディスク１００の表面へのごみの付着による画像書き込み／読み出しエラーを防止するため、略密封構造とした防塵構造となっている。そして、光ディスク１００の装填時は、駆動用のモータ１１が、駆動源として連結される。
【００１６】
また、光ディスク１００を挟んで、画像データ書き込み用レーザー光照射部１３を持った光ヘッド支持枠１４が、矢印に示す方向を走査するようガイド支持されている。２は、カメラ全体を制御する制御回路を実装した回路基板である。回路基板２は記録信号処理回路２１、再生信号処理回路２２、レーザー光制御部１５、光ディスク駆動制御部１６などが主な構成要素であり、制御回路駆動に、発熱をともなう素子４などが実装されている。
【００１７】
３は、被写体を撮像するためのレンズ部、レンズ部３は、被写体に相対する撮像レンズ３１と、撮像レンズ３１の結像面に配置され、結像された画像を電気的に変換するＣＣＤ３２、ＣＣＤ３２の電気信号を処理する映像信号処理回路基板３３からなる。また、レンズ部後方には、接眼用ビューファインダー３４が配置されている。４は、レンズ部３、及び、光ディスク駆動メカ機構１を内蔵した本体筐体、本体筐体４の内部には、レンズ光軸に平行に導熱路５が設けられており、導熱路５の各端部には開口部４１，４２が設けられている。
【００１８】
導熱路５は、画像データ書き込み用レーザー光照射部１３近傍の回路基板２上で、制御回路駆動に、発熱をともなう素子２４に近接させており、導熱路５を構成している壁面には、熱伝導率が高い銅板や、樹脂シートなどの放熱部材６が素子２４近傍から、開口４１，４２まで配置されている。開口部４１，４２は、本体筐体４の表面上で通気性があり、なおかつ、非通水性のシート部材４３、４４によって、ふさがれている。
【００１９】
このシート部材４３，４４は、例えば、連続多孔質ポリテトラフロロエチレン（ゴアテックス（登録商標））等を使用する。本体筐体４の背面に設けられた光ディスク１００を装填するための、スリット穴４５は、光ディスク１００を装填するとき以外は、保護カバー４６が、スリット穴４５を塞ぐように、ばね付勢されている。光ディスク１００を本体筐体４の背面のスリット穴４５から装填すると、保護カバー４６は本体筐体４の内部へ押されて逃げて、光ディスク駆動メカ機構１に、装填される。
【００２０】
９は固定ホルダーで、本体筐体４の内部で、レンズ部３、光ディスク駆動メカ機構１を、支持固定する、６１は、本体筐体４とは、分離した表示筐体で、内部に画像表示を行うモニターＬＣＤ６２、バックライト６３、ＬＣＤ駆動回路基板６４が配置されている。本体筐体４の、表示筐体６１と接する側面には、光ディスク１００に撮像された画像の再生操作を行う、操作ボタン４７が、複数配置され、ＳＷ基板４８上に実装された操作ＳＷを押せるようになっている。７０は撮像装置を駆動させるための電源となるバッテリーである。
【００２１】
上記のような構成において、光ディスクを使用する撮像カメラ本体４に光ディスク１００を背面から装入する。途中まで手動で挿入された光ディスク１００は、不図示の光ディスク装填モータによって、光ディスク駆動メカ機構１内に引き込まれ、光ディスク装填機構（不図示）によって、光ディスク駆動メカ機構１内に取り込まれる。
【００２２】
そして、不図示の電源スイッチのオン操作、及び、撮像開始スイッチのオン操作によって、撮像レンズ３１から入射した被写体が、ＣＣＤ３２上に結像され、電気信号へ変換される。変換された信号は、映像信号処理回路３３によって、接眼用ビューファインダー３４、あるいは、モニターＬＣＤ６１のいずれか一方に表示画像として送られる。
【００２３】
そのとき、どちらの表示手段に画像表示するかは、表示筐体の開閉によって切り替えられる。同時に、記録信号処理回路２１に送られ、光ディスク駆動制御部１５と、駆動モータ１１によって、光ディスクが回転駆動され、光ディスク駆動制御部１５によって、光ヘッド支持枠１４が、光ディスク１００上を、非接触で走査し、レーザー光照射によって光ディスク１００上に、画像データを書き込む。このような撮像動作は、動画撮像の場合、連続して行われるため、回路基板２上に実装された素子２４が発熱し、周囲を、高温化させる。
【００２４】
しかし、熱の一部は、放熱部材６を介して、導熱路５中の空気に伝えられる。本体筐体４の、開口部４１，４２まで導熱路５の空気が暖められると、本体筐体４の外部との温度差により、導熱路５内に、空気の流れが起き、本体筐体４の開口部４１、あるいは、４２から、外部に放熱されるため、このときの温度は所定の温度以上に上昇しない。
【００２５】
また、開口部４１，４２が撮像カメラ本体４の表面で露出していると、カメラ使用時に、水滴、埃等が、開口部４１，４２から、導熱路５内に進入し、導熱路５内の部品の合わせ部や、隙間から、内部に回り込み、回路基板上の素子端子間のショートなど、電気的な不良を、引き起こすが、開口部４１、４２には、通気性があり、なおかつ、液体の非通水性のシート部材４３、４４によって、ふさがれているため、開口部から、水滴、埃などが、本体筐体４の内部に侵入すること無しに、内部からの、温度上昇した空気がカメラ本体４の内部から外部に放熱が行われる。
【００２６】
（第２の実施例）
図６、及び、図７は、本発明の、第２の実施例を示すカメラの撮像素子近傍の導熱路を示す概略断面図。図８、及び、図９は、本発明の第２の実施例を示すカメラの正面から見た全体をあらわす斜視図と、カメラの背面から見た全体の斜視図である。
【００２７】
上記のような構成、及び、図５の本発明の概略の構成を示すブロック図において、撮像、再生等の作動は、第１の実施例と同様に行われる。その中で、図６〜図９において、不図示の電源スイッチのオン操作、及び、撮像開始スイッチのオン操作によって、撮像レンズ３１から入射した被写体が、ＣＣＤ３２上に結像され、電気信号へ変換される。動画撮像を行った場合、このような変換が、継続して行われるため、ＣＣＤ３２の電気信号を処理する映像信号処理回路基板３３上に実装された駆動時に発熱をともなう素子３３０が発熱し、周囲を、高温化させる。
【００２８】
しかし、熱の一部は、放熱部材８を介して、導熱路７中の空気に伝えられ、本体筐体４００の、開口部４０１，４０２まで導熱路７の空気が暖められると、本体筐体４００の外部との温度差により、導熱路７内に、空気の流れが起き、本体筐体４００の開口部４０１、あるいは、４０２から、外部に放熱されるため、このときの温度は所定の温度以上に上昇しないため、ＣＣＤ３２自身が映像信号処理回路基板３３上の実装素子３３０の発熱の影響では、ＣＣＤ３２の各画素は欠陥画素となることはない。こうして変換された信号は、映像信号処理回路３３によって、接眼用ビューファインダー３４、あるいは、モニターＬＣＤ６１のいずれか一方に正常な表示画像として送られる。
【００２９】
また、開口部４０１，４０２が本体筐体４００の表面で露出していると、カメラ使用時に、水滴、埃等が、開口部４０１，４０２から、導熱路７内に進入し、導熱路７内の部品の合わせ部や、隙間から、内部に回り込み、回路基板上の素子端子間のショートなど、電気的な不良を、引き起こすが、開口部４０１、４０２には、通気性があり、なおかつ、液体の非通水性のシート部材４０３、４０４によって、ふさがれているため、開口部から、水滴、埃などが、本体筐体４００本体筐体４００の内部に侵入すること無しに、温度上昇した空気がカメラ本体４００の内部から外部に放熱が行われる。
【００３０】
また、第１の実施例では、撮像レンズの対物レンズ正面、背面に本体筐体の開口部が設けられ、第２の実施例では、撮像レンズに水平に直交する方向に本体筐体の開口部が設けられているが、開口部を設ける面は、これには限らない。例えば、本体筐体の上下面に開口部を設けることによって、高温化した空気は上昇方向に流れを起こすため、開口部からの放熱はさらに、有利となる。
【００３１】
以上説明したように、本発明によれば、回路基板、及び、映像信号処理回路基板の駆動にともない発熱した熱は、放熱部材を介して、導熱路中の空気に伝えられ、本体筐体の開口部から、外部に放熱されるため、撮像時（特に連続撮像時）に、効率よく放熱し、ディスク駆動メカ機構近辺、及び、ＣＣＤ周囲の温度上昇を防ぐことができ、画像データをディスクに書き込む際の熱による誤書き込み、あるいは、ＣＣＤ上での発熱の影響による温度下で欠陥画素の発生、あるいは、その両方を防ぐことができる。
【００３２】
また、本体筐体４の開口部は、本体筐体４の表面上で、通気性があり、なおかつ、非通水性のシート部材によって、ふさがれ、内部が、直接さらされないようになっていて、外観としての見えも良くするとともに、内部への水滴等の侵入を防ぎ、電気的な信頼性も確保している。
【００３３】
この時、配置される撮像媒体として、光ディスクが設定されているが、撮像媒体は、これに限らず、内部発熱により、データ記録／再生、表示に影響される装置すべてに適用可能である。
【産業上の利用可能性】
【００３４】
以上説明したように、本発明によれば、回路基板、及び、映像信号処理回路基板の駆動にともない発熱した熱は、放熱部材を介して、導熱路中の空気に伝えられ、本体筐体の開口部から、外部に放熱されるため、撮像時（特に連続撮像時）に、効率よく放熱し、ディスク駆動メカ機構近辺、及び、ＣＣＤ周囲の温度上昇を防ぐことができ、画像データをディスクに書き込む際の熱による誤書き込み、又は、ＣＣＤ上での発熱の影響による温度下で欠陥画素の発生、あるいは、その両方を防ぐことができる。
【００３５】
また、本体筐体４の開口部は、本体筐体４の表面上で、通気性があり、なおかつ、非通水性のシート部材によって、ふさがれ、内部が、直接さらされないようになっていて、外観としての見えも良くするとともに、内部への水滴等の侵入を防ぎ、電気的な信頼性も確保している。
【００３６】
この時、配置される撮像媒体として、光ディスクが設定されているが、撮像媒体は、これに限らず、内部発熱により、データ記録／再生、表示に影響される装置すべてに適用可能である。
【図面の簡単な説明】
【００３７】
【図１】本発明の、カメラの光ディスク書き込み部近傍の導熱路を示す概略断面図である。
【図２】本発明の、カメラの光ディスク書き込み部近傍の導熱路を示す概略断面図である。
【図３】本発明の、カメラの正面から見た全体斜視図である。
【図４】本発明の、カメラの背面から見た全体斜視図である。
【図５】本発明の概略の構成を示すブロック図である。
【図６】本発明の、第２の実施例を示す、カメラの撮像素子近傍の導熱路を示す概略断面図である。
【図７】本発明の、第２の実施例を示す、カメラの撮像素子近傍の導熱路を示す概略断面図である。
【図８】本発明の第２の実施例を示す、カメラの正面から見た全体斜視図である。
【図９】本発明の第２の実施例を示す、カメラの背面から見た全体斜視図である。
【符号の説明】
【００３８】
１  光ディスク駆動機構
１１  駆動用のモータ
１３  画像データ書き込み用レーザー光照射部
１４  光ヘッド支持枠
１５  レーザー光制御部
１６  光ディスク駆動制御部
２  回路基板
２１  記録信号処理回路
２２  再生信号処理回路
２４、３３０  発熱素子
３  レンズ部
３１  撮像レンズ
３２  ＣＣＤ
３３  映像信号処理回路基板
３４  接眼用ビューファインダー
４、４００  本体筐体
４１，４２、４０１、４０２  開口部
４３、４４、４０３、４０４  シート
５、７  導熱路
６、８  放熱部材
９  固定ホルダー
６１  表示筐体
７０  バッテリー
１００  光ディスク
【図１】
2006172651.tif 000003
【図２】
2006172651.tif 000004
【図３】
2006172651.tif 000005
【図４】
2006172651.tif 000006
【図５】
2006172651.tif 000007
【図６】
2006172651.tif 000008
【図７】
2006172651.tif 000009
【図８】
2006172651.tif 000010
【図９】
2006172651.tif 000011